(57)【要約】      （修正有）【課題】複数の遊技領域を備えたパチンコ遊技機において、複数の発射レールに対し玉を発射したレールにのみ上皿に貯留された玉を補給するパチンコ遊技機を提供する。【解決手段】前面のガラス扉に面する前面遊技領域と、この前面遊技領域の後方に設けられた後面遊技領域と、前面遊技領域に向けて玉を発射するための前面発射レーン１１１と、後面遊技領域に向けて玉を発射するための後面発射レーン１１２とを備える。前記各発射レーン１１１、１１２の各玉発射部の上方で、かつ上皿との間に位置して発射玉補給装置２９０が設けられる。発射玉補給装置２９０は、上皿からの玉を受入れる玉受入部２９１と、発射ハンマの発射動作に連動して玉を振分爪２９５に向けて送り出す玉送り出し歯車２９８とを有している。【選択図】図１４
2006130008.tif 000002
【特許請求の範囲】
【請求項１】
前面ガラスに面する前面遊技領域と、この前面遊技領域の後方に形成される後面遊技領域とを備えるとともに、それぞれの遊技領域に玉の流下方向を変更する障害物或いは玉を受入れる受入口が配置されたパチンコ遊技機において、
前記前面遊技領域に向けて玉を発射するための前面発射レールと、
前記後面遊技領域に向けて玉を発射するための後面発射レールと、
玉を発射する玉発射手段の発射動作に対応して前記前面発射レール又は後面発射レールのいずれかの玉発射部に玉を補給する玉補給手段と、
を備えることを特徴とするパチンコ遊技機。
【請求項２】
前記玉補給手段は、前記玉発射手段が玉を発射した直後に、前記前面発射レール又は後面発射レールのうち、直前に玉が発射された発射レールの玉発射部に、玉を１個補給する振分手段を含むことを特徴とする請求項１に記載のパチンコ遊技機。
【請求項３】
前記玉補給手段は、発射する玉を貯留する上皿から受入れた玉を保持するとともに、前記玉発射手段の発射動作に連動して、前記振分手段が配置された方向に、保持した玉を送り出す玉保持手段を含むことを特徴とする請求項２に記載のパチンコ遊技機。
【請求項４】
前記玉保持手段として、円筒状をなしその外周面に前記上皿から受入れた玉を保持する玉保持部が形成されるとともに、前記玉発射手段の発射動作に連動して玉保持部が回転し、前記振分手段が配置された方向に、保持した玉１個を送り出す送り出し回転体を備えたことを特徴とする請求項３に記載のパチンコ遊技機。
【請求項５】
前記振分手段として、前記送り出し回転体から送り出された玉を受ける位置に配置され、前記玉発射手段の発射動作に連動し、前記前面発射レール又は後面発射レールの玉発射部のうち、前記玉発射手段が打ち込まれた玉発射部に玉を導くように回動する振分爪を備えたことを特徴とする請求項４に記載のパチンコ遊技機。
【請求項６】
前記振分手段は、発射する玉を貯留する上皿から受入れた玉を保持する玉保持部が形成されるとともに、前記玉発射手段の発射動作に連動し、前記前面発射レール又は後面発射レールのうち、直前に玉が発射された発射レールの玉発射部に、前記玉保持部に保持された玉１個を送り出すように可動する振分部材を備えたことを特徴とする請求項２に記載のパチンコ遊技機。
【発明の詳細な説明】
【技術分野】
【０００１】
本発明は、パチンコ遊技機に関し、特に複数の遊技領域を備えたパチンコ遊技機の玉補給装置に関する。
【背景技術】
【０００２】
従来のパチンコ遊技機は１面の遊技領域しか備えておらず、どのパチンコ台であっても変わり映えしないものであった。ところで特許文献１には、遊技領域の一部を２重にする技術が開示されている。
【０００３】
【特許文献１】特開２００１−３３４０２７号公報
【発明の開示】
【発明が解決しようとする課題】
【０００４】
しかしながら、特許文献１における遊技機では、落下する玉がたまたま奥の遊技領域に入ったり、前面の遊技領域に出てきたり、というだけで、視覚的な目新しさはあるものの、遊技性として格別に遊技者の興趣をそそるまでのものではなかった。ところで先に、発明者は、前面ガラス扉に面し前後に遊技盤が積層状態に配置され複数の遊技領域が形成されるとともに、発射された玉がそれら遊技領域のいずれか一に打ち込まれるように構成されたパチンコ遊技機の提案をした。このパチンコ遊技機は、発射レールを各遊技領域に対応して備え、発射ハンマにより各発射レール上の玉を打ち分けるような構成になっているが、上皿に貯留された玉を各発射レールに振分ける装置が必要になるが、従来、そのような振分け装置は存在しない。
【０００５】
本発明は上記した背景をもとになされたもので、複数の遊技領域を備えたパチンコ遊技機において、複数の発射レールに対し玉を発射したレールにのみ上皿に貯留された玉を補給して、無駄な補給もなく玉の振分けが可能な玉補給装置を備えるパチンコ遊技機を提供することを課題とする。
【課題を解決するための手段及び発明の効果】
【０００６】
上記課題を解決するために本発明パチンコ遊技機は、前面ガラスに面する前面遊技領域と、この前面遊技領域の後方に形成される後面遊技領域とを備えるとともに、それぞれの遊技領域に玉の流下方向を変更する障害物或いは玉を受入れる受入口が配置されたパチンコ遊技機において、
前面遊技領域に向けて玉を発射するための前面発射レールと、
後面遊技領域に向けて玉を発射するための後面発射レールと、
玉を発射する玉発射手段の発射動作に対応して前面発射レール又は後面発射レールのいずれかの玉発射部に玉を補給する玉補給手段と、
を備えることを特徴とする。
【０００７】
上記本発明のパチンコ遊技機は、前面遊技領域と、この前面遊技領域の後方に後面遊技領域とを備えるとともに、それら遊技領域のそれぞれに向けて玉を発射する前面発射レールと後面発射レールとを備えた構成としている。そして、玉発射手段（例えば発射ハンマ）の発射動作に対応して前面発射レール又は後面発射レールのいずれかの玉発射部に玉を補給する玉補給手段を備えている。これにより玉発射手段の発射動作に対応して、例えば玉発射手段が打ち込まれた発射レールの玉発射部に玉を補給するようにして、無駄な補給もなく、遊技者は円滑に遊技することが可能である。
【０００８】
その際、玉補給手段は、玉発射手段が玉を発射した直後に、前面発射レール又は後面発射レールのうち、直前に玉が発射された発射レールの玉発射部に、玉を１個補給する振分手段を含むことができる。このように振分手段によって、玉発射手段が玉を発射した直後に、前面発射レール又は後面発射レールの玉発射部のうち、直前に玉が発射された発射レールの玉発射部にのみ、玉が１個補給されるので、無駄なく、円滑な遊技が実現できる。
【０００９】
また、その際、玉補給手段は、発射する玉を貯留する上皿から受入れた玉を保持するとともに、玉発射手段の発射動作に連動して、振分手段が配置された方向に、保持した玉を送り出す玉保持手段を含むようにできる。このように上皿から受入れた玉を保持して、その保持した玉を玉発射手段に連動して振分手段に確実に送り出すようにできる。
【００１０】
さらに、その際、玉保持手段として、円筒状をなしその外周面に上皿から受入れた玉を保持する玉保持部が形成されるとともに、玉発射手段の発射動作に連動して玉保持部が回転し、振分手段が配置された方向に、保持した玉１個を送り出す送り出し回転体を備えるようにできる。このように送り出し回転体（例えば玉送り出し歯車）によって玉を保持し、保持された玉を発射動作に連動して玉保持部（例えば歯溝部）が回転することにより、振分手段の方向に確実に送り出すように構成することができる。
【００１１】
また、その際、振分手段として、送り出し回転体から送り出された玉を受ける位置に配置され、玉発射手段の発射動作に連動し、前面発射レール又は後面発射レールの玉発射部のうち、玉発射手段が打ち込まれた玉発射部に玉を導くように回動する振分爪を備えるようにできる。このように振分爪によって玉発射手段が打ち込まれた玉発射部に玉を振分けて補給することができる。
【００１２】
さらに、その際、振分手段は、発射する玉を貯留する上皿から受入れた玉を保持する玉保持部が形成されるとともに、玉発射手段の発射動作に連動し、前面発射レール又は後面発射レールのうち、直前に玉が発射された発射レールの玉発射部に、玉保持部に保持された玉１個を送り出すように可動する振分部材を備えるようにできる。このように玉を保持する玉保持部が振分部材に一体に形成され、玉保持部で保持された玉１個を玉発射手段の発射動作に連動して送り出すことができ、発射動作に連動した玉の振分けが機能的に構成できる。
【発明を実施するための最良の形態】
【００１３】
（実施例１）
以下、本発明の実施の形態につき、図面に示す実施例を参照して説明する。図１は本発明のパチンコ遊技機１の正面模式図である。パチンコ遊技機１は、台枠に取り付けられた透明ガラス扉２と、台枠の内側に配置されてガラス扉２によって覆われ、円状に前面遊技領域３ａを形成する透明板状の前面遊技盤３と、この前面遊技盤３の後方に同じく円状に後面遊技領域５３ａを形成する後面遊技盤５３とを有する。
【００１４】
前面遊技盤３と後面遊技盤５３とは積層状態をなし、前面遊技盤３が透明板で形成され、後面遊技領域５３ａは遊技者から透視可能となっている。これら遊技盤３,５３の下方には、玉供給皿４（上皿ともいう）が設けられている。上皿４に準備された玉は、ハンドル５を含んで構成される玉発射機構によって遊技盤３,５３のいずれか一に打ち込まれるように発射される。前面遊技盤３又は後面遊技盤５３に達した玉は、その遊技盤３又は遊技盤５３の面上（前面遊技領域３ａ又は後面遊技領域５３ａ）を落下する。
【００１５】
図３は前面遊技盤３及び後面遊技盤５３の正面図、図４は前面遊技盤３及び後面遊技盤５３の斜視図である。前面遊技盤３の面上には中央に前面始動入賞口７（始動入賞口１ともいう）が配置されている。後面遊技盤５３の面上には、その中央付近に液晶表示部５６が配設されている。液晶表示部５６には、３つのキャラクタ（数字）で構成された図柄が変動表示される特別図柄表示部６５が設けられている。液晶表示部５６の下方には、左右に後面始動入賞口５７,５８（始動入賞口２,３ともいう）が配置されている。
【００１６】
前面始動入賞口７、後面始動入賞口５７,５８への入賞に基づいて、大当たりの抽選が行われる。前面始動入賞口７の下方には、抽選結果が普通の大当たり図柄であったときに開放する前面大入賞口９（大入賞口１ともいう）と、玉を回収するための前面アウト口１０とが設けられている。後面始動入賞口５７,５８の下方には、抽選結果が特定の大当たり図柄であったときに開放する後面大入賞口５９（大入賞口２ともいう）と、玉を回収するための後面アウト口６０とが設けられている。
【００１７】
図１において、後面遊技盤５３の面上に配置された後面始動入賞口５７,５８、後面大入賞口５９及び前面移動口６１,６２,６３などの玉の受入口や液晶表示部５６などは破線で示している。また、前面遊技盤３及び後面遊技盤５３のそれぞれ面上には玉の流下方向を変更する障害物として、障害釘１９が複数設けられている。
【００１８】
液晶表示部５６において、特別図柄表示部６５の上方には保留玉表示部６６が設けられている。保留玉表示部６６では、前面始動入賞口７及び後面始動入賞口５７,５８の入賞により得られる大当たり抽選結果を保留情報としてＲＡＭ２４に記憶し、記憶された保留数を表示するものである。本実施例では特別図柄の保留玉の上限は４個に設定されている。
【００１９】
そして、前面遊技領域３ａと後面遊技領域５３ａとの間を玉が移動する移動口が前面遊技盤３と後面遊技盤５３とに複数設けられている。前面遊技盤３の面上には、前面遊技領域３ａから後面遊技領域５３ａに移動させる移動口として、上方左右に後面移動口１１,１２、中央左右に後面移動口１３,１４がそれぞれ設けられている。後面遊技盤５３の面上には、後面遊技領域５３ａから前面遊技領域３ａに移動させる移動口として、液晶表示部５６の下方中央に前面移動口６１、液晶表示部５６の左右に前面移動口６２,６３がそれぞれ設けられている。
【００２０】
前面移動口６１は、図４に示すように液晶表示部５６を収容するハウジング１２１の下部ステージの後方に設けられた挿通孔１２２と連通している。ハウジング１２１の天部には玉が通過可能な複数（本実施例では２個）の挿通孔１２３が形成されている。後面遊技領域５３ａに打ち込まれた玉がこの挿通孔１２３を通過し、ハウジング１２１内に入り、下部の挿通孔１２２を通過して、前面移動口６１から前面遊技領域３ａに排出される。前面移動口６１の前面開口６１ａは、前面始動入賞口７の真上に位置し、前面始動入賞口７に玉が入賞し易くしている。
【００２１】
次に、図２に示すのは、パチンコ遊技機１の遊技制御装置２０の構成を示すブロック図である。遊技制御装置２０は、メイン基板２１、このメイン基板２１に搭載されたＣＰＵ２２、遊技プログラムを格納したＲＯＭ２３、ＲＡＭ２４、入出力回路２５、ＣＰＵ２２からの制御信号の出力が接続される表示制御基板２６、音声制御基板２７、ランプ制御基板２８、払出制御基板２９、発射制御基板３０、及びこの遊技制御装置２０に電源を供給する電源回路３１を含み構成される。
【００２２】
玉の通過を検知したとき検知信号を出力する検知スイッチとして、前面始動入賞検出器（始動入賞１検出器）３２、後面始動入賞検出器（始動入賞２検出器, 始動入賞３検出器）３３,３４、前面大入賞口入賞検出器（大入賞１検出器）３５、後面大入賞口入賞検出器（大入賞２検出器）３６が入出力回路２５を介してＣＰＵ２２に接続されている。前面大入賞口開放用ソレノイド（大入賞口１開放用ソレノイド）３７、後面大入賞口開放用ソレノイド（大入賞口２開放用ソレノイド）３８及び発射方向切替用駆動モータ３９が入出力回路２５を介してＣＰＵ２２に接続されている。ＣＰＵ２２からの制御信号により前面大入賞口開放用ソレノイド３７が駆動され、前面大入賞口９の開閉が制御されるとともに、ＣＰＵ２２からの制御信号により後面大入賞口開放用ソレノイド３８が駆動され、後面大入賞口５９の開閉が制御される。
【００２３】
表示制御基板２６にはＣＰＵ２２からの制御信号が入力され、該制御信号に応じて液晶表示部５６の特別図柄表示部６５、保留玉表示部６６の表示が制御される。また、音声制御基板２７では音声信号を作成し、音声信号が増幅されスピーカ４１から音声が出力される。ランプ制御基板２８にはＣＰＵ２２からの制御信号が入力され制御信号に応じてランプ類４２が制御される。また、払出制御基板２９では制御信号に応じて賞球や貸球の払出装置４３を制御する。発射制御基板３０では玉の発射装置４４を制御する。
【００２４】
パチンコ遊技機１の上部には種々色彩で表示可能なランプ１８が設けられ、遊技の演出を色彩情報として遊技者に提供するようにしている。
【００２５】
ＣＰＵ２２（抽選手段）は、前面始動入賞口７又は後面始動入賞口５７,５８の入賞に起因して大当たりか否かの抽選を行う機能を有する。特別図柄表示部６５は、抽選結果に基づいて図柄を変動表示する機能を有している。
【００２６】
玉が発射装置４４から打ち出される位置から遊技領域３ａ,５３ａまで玉を誘導するレールとして、前面遊技領域３ａに対応して前面レール１７、後面遊技領域５３ａに対応して後面レール６７がそれぞれ設けられている（図３及び図４参照）。
【００２７】
次に、玉の発射装置４４の構成について説明する。図５は発射装置４４の構成の概略を示す図である。発射装置４４を構成する各部材が収納されるハウジング（図示せず）の壁部内側に、軸Ｏ１を中心にして、発射ハンマ７１（玉発射手段）が図５に示すＤ方向に回動できるように取付けられている。Ｄ方向と反対方向には発射ハンマ７１が回動できないようにゴム台７２が設けられている。発射ハンマ７１のハンマ頭部７３とは反対側の端部７４がゴム台７２に当接するようにしている。発射ハンマ７１には、軸Ｏ１よりハンマ頭部７３側にスプリング７５が取付けられ、そのスプリング７５の他端にはワイヤ７６が接続されている。そのワイヤ７６の他端は、遊技者が操作するハンドル５に繋がっており、遊技者がハンドル５を図５に示すＥ方向に回すと、ワイヤ７６を引張り、スプリング７５を伸ばす方向に作用する。
【００２８】
次に、発射ハンマ７１の駆動について説明する。発射ハンマ７１を駆動する発射モータ（図示しない）によって回転する駆動軸Ｏ２に固定されたカム部材７７が、発射ハンマ７１の軸Ｏ１に固定されたリンク７８の被作用部７８ａに係合するようにしている。ハンドル５を遊技者が操作すると発射モータが駆動され、発射モータの駆動によりカム部材７７がＦ方向に回転し、カム部材７７のカム面７７ａが、リンク７８の被作用部７８ａに係合して、スプリング７５の付勢力に抗して発射ハンマ７１をＤ方向に回動する。リンク７８の被作用部７８ａとカム面７７ａとの係合がはずれると、スプリング７５の付勢により発射ハンマ７１の頭部７３で玉を打撃し、玉を発射する。玉を発射する強さは、ハンドル５をＥ方向に回動する程強くなる。
【００２９】
次に、玉の発射方向切替手段の構成について説明する。発射ハンマ７１は、頭部７３を含む発射ハンマ本体部７１ａと、胴部７１ｂとを含み、発射ハンマ本体部７１ａが軸Ｏ３を中心として、所定の位置、すなわち図６に示すＡ位置とＢ位置との間で回動できるように結合されている。発射ハンマ本体部７１ａがＡ位置にあるときは、前面遊技領域３ａに玉を誘導する前面レール１７に繋がる前面発射レーン１１１（前面発射レールともいう）から玉を発射できるようにするとともに、発射ハンマ本体部７１ａがＢ位置にあるときは、後面遊技領域５３ａに玉を誘導する後面レール６７に繋がる後面発射レーン１１２（後面発射レールともいう）から玉を発射するようにして、発射方向を切替えている（図１３参照）。
【００３０】
図７は発射ハンマ本体部７１ａと胴部７１ｂとの結合部分の構成を示す。発射ハンマ本体部７１ａには、複数（本実施例では２個）の突起部７９ａ,７９ｂを形成している。一方胴部７１ｂには、その突起部７９ａ,７９ｂのいずれか一が係止する係止溝８０を設けている。このように発射ハンマ本体部７１ａは、突起部７９ａが係止溝８０に係止した状態（Ａ位置に対応）と突起部７９ｂが係止溝８０に係止した状態（Ｂ位置に対応）との２位置で固定されるようにしている。
【００３１】
図８は発射方向切替器具８１の概略構成を示す図である。図９は発射方向切替動作を示す図である。発射方向切替器具８１は、略扇形状をなし仕切壁８２ａ及び８２ｂによって内側に空間を形成し、その空間に発射ハンマ本体部７１ａ（頭部７３を含む発射ハンマ本体部７１ａ）を収容可能なガイド部材８２を有し、軸Ｏ４を中心としてそのガイド部材８２を回動できるようにしている。発射方向切替器具８１には、発射方向切替用駆動モータ３９により回転する歯車８４が、軸Ｏ４に固定された扇形状のセクタ歯車８５と噛み合うように設けられている。歯車８４の回転運動がセクタ歯車８５によって回動運動（間欠的な往復動）に変換される。駆動モータ３９の駆動により歯車８４が回転し、セクタ歯車８５と一体にガイド部材８２が回動する。セクタ歯車８５は駆動モータ３９の駆動力をガイド部材８２に伝動する伝動部材として機能する。
【００３２】
発射方向の切替えは、発射ハンマ７１がＤ方向に回動されたときに行われる（図５参照）。すなわち発射ハンマ７１がＤ方向に回動するときには、発射ハンマ本体部７１ａの頭部７３の部分がガイド部材８２の仕切壁８２ａの内面を摺接した状態で移動する（図９（ｂ）参照）。ガイド部材８２は、扇形状をなし仕切壁８２ａと８２ｂとが下方（発射ハンマ７１の回動方向（Ｄ方向）に対応した方向）に向かう程接近する構造となっている。発射ハンマ７１の移動に合わせて、前もって発射方向切替用駆動モータ３９の駆動によって歯車８４、セクタ歯車８５を介しガイド部材８２を回動しておくことにより、ガイド部材８２の構造（仕切壁８２ａと８２ｂとが下方に向かう程接近する構造）と相俟って、仕切壁８２ａで発射ハンマ本体部７１ａの頭部７３部分を押圧するように作用して、発射ハンマ本体部７１ａを回動し、発射ハンマ本体部７１ａの位置をＡ位置からＢ位置に切替える（図６参照）。発射ハンマ本体部７１ａの突起部７９ｂが係止溝８０に係止して固定される（図７（ｃ）参照）。
【００３３】
一方Ｂ位置からＡ位置への切替えは、駆動モータ３９の逆回転によって行われる。ガイド部材８２の仕切壁８２ｂで発射ハンマ本体部７１ａの頭部７３部分を押圧して、発射ハンマ本体部７１ａを逆方向に回動し、発射ハンマ本体部７１ａの突起部７９ａが係止溝８０に係止して固定される（図７（ｂ）参照）。駆動モータ３９が駆動されない場合は、そのときの位置状態で固定される。発射方向切替器具８１は、駆動モータ３９を含んで発射ハンマ位置切替手段を構成している。駆動モータ３９は、発射方向切替器具８１のガイド部材８２が発射ハンマ７１の頭部７３を移動させるように作用して位置を２位置に変位させる駆動手段を構成する。
【００３４】
次に、発射玉補給装置について説明する。図１０は発射玉補給装置を示す斜視図、図１１は図１０の分解斜視図である。発射玉補給装置９０（玉補給手段）は、前面レール１７に繋がる縦断面がＵ字形をなし上面が開口した樋状の前面発射レーン１１１と、この前面発射レーン１１１と連設され後面レール６７に繋がる縦断面がＵ字形をなし上面が開口した樋状の後面発射レーン１１２との上方に配置される。発射玉補給装置９０は、上皿４と連通し上皿４からの玉を受入れる玉受入部９１と、この玉受入部９１に受入れた玉を前面発射レーン１１１又は後面発射レーン１１２に玉を振分ける振分部材９５（振分手段）とを有している。
【００３５】
玉受入部９１は、玉１つが通過可能な流路を形成する角筒状をなし、上面に玉入口９２が形成されるとともに、一側壁９１ａの下部に玉出口９３が形成されている。玉受入部９１の下面には、その玉出口９３側に向かう程下方に傾斜した傾斜底９４が形成されている。傾斜底９４の先端は、角筒状の側壁面より突出した突出部９４ａが形成されている。この突出部９４ａの上方に玉１個が通過可能な間隔を有して、側壁９１ａから張出した張出部９１ｂが形成されている。
【００３６】
振分部材９５は、Ｌ字形状をなしその水平部の中央の軸部９６を中心に回動できるように設けられている。軸部９６に枢支された軸９６ａは発射装置４４を収納する筐体に支持固定されている（図１２参照）。振分部材９５の水平部の一端に玉１個を受入れ可能な半円筒面状のガード部９７が形成されるとともに、軸部９６を間にして他端の垂直部の下方先端に楔状のプレート部９８が形成されている。ガード部９７は、玉受入部９１の傾斜底９４の突出部９４ａに対向して接近して設けられている。そして、ガード部９７と傾斜底９４の突出部９４ａとにより玉を保持する状態を呈するようにしている。ガード部９７と傾斜底９４の突出部９４ａとにより玉保持手段を構成している。
【００３７】
プレート部９８は、楔状のその鋭角部９８ａが下方に傾斜した状態に取付けられている。そして、このプレート部９８は、発射ハンマ７１の頭部７３に対向して、発射ハンマ７１の回動方向に対応するとともに、発射レーン１１１,１１２の長手方向と同一直線上に対応して設けられている（図１３参照）。すなわち発射ハンマ７１が回動時に頭部７３がプレート部９８の楔状の一側面を摺接するような位置関係に設けられている。
【００３８】
玉受入部９１の下方には、コの字形の仕切部材１０１が、傾斜底９４の突出部９４ａの両側にそのコの字形の壁部１０１ａ,１０１ｂが位置し、かつコの字形の開口部が突出部９４ａの先端部側に位置するように設けられている。そして、傾斜底９４の突出部９４ａには、両側に切欠き９４ｂ,９４ｃが形成され、この切欠き９４ｂと壁部１０１ａとの間及び切欠き９４ｃと壁部１０１ｂとの間に玉１個が通過可能な開口部が形成されるようにしている。
【００３９】
振分部材９５には、図１２に示すように発射ハンマ７１の動作によって移動された状態（回動された状態）を元に復帰するために水平部の両側にスプリング９９,９９が取付けられている。スプリング９９,９９の他端は発射装置４４を収納する筐体に固定されている。
【００４０】
図１３は発射レーン（実施例では前面発射レーン１１１）への玉の補給動作を示す説明図である。上皿４に玉を入れると、先頭の玉が玉受入部９１に入る。玉受入部９１に入った玉は、傾斜底９４の突出部９４ａに載った状態で振分部材９５のガード部９７に当接して停止する。玉はガード部９７と突出部９４ａとで保持された状態にある。このとき発射ハンマ７１の頭部７３は、振分部材９５のプレート部９８と離間した状態にある（図１３（ａ）参照）。
【００４１】
次に、発射ハンマ７１が発射動作を開始すると、頭部７３が振分部材９５の楔状のプレート部９８の側面に接触して、このプレート部９８を押す。プレート部９８が頭部７３に押されて、振分部材９５は図１３（ｂ）に示すＨ方向に回動する。あわせて振分部材９５のガード部９７が、スプリング９９の付勢に抗して仕切部材１０１の壁部１０１ａ側（前面発射レーン１１１側）に回動される。なお、１回目の発射ハンマ７１の発射動作は空打ち（玉が前面発射レーン１１１上に供給されていない状態で空打ち）になる。
【００４２】
ガード部９７が回動されることにより傾斜底９４の突出部９４ａに載って保持されていた玉が、ガード部９７によって押し出され切欠き９４ｂを通って下方に落下し、発射ハンマ７１の打ち込まれた前面発射レーン１１１上に移動する。このとき発射ハンマ７１は、戻り（図５に示すＤ方向に戻された状態：玉を打撃する手前の退避位置）、その頭部７３が振分部材９５のプレート部９８と離間した状態となる。振分部材９５は図１３（ｃ）に示すＨ方向と逆方向にスプリング９９の付勢で回動する。これにより振分部材９５は元の状態（中立の状態）に復帰し、次の玉をガード部９７と突出部９４ａとで保持する。すなわち次の玉はガード部９７に当接し停止し前面発射レーン１１１まで落下しない。
【００４３】
前面発射レーン１１１の玉発射位置１１１ａ部分及び後面発射レーン１１２の玉発射位置１１２ａ部分には、それら発射レーン１１１及び１１２にまたがってその上面を覆うようにして、かつ下端部に下方に傾斜した玉止め部１０３ａが形成された上板１０３が設けられており、前面発射レーン１１１の上に達した玉は、玉止め部１０３ａに当接し玉発射位置１１１ａに停止し待機する。玉止め部１０３ａは、前面発射レーン１１１の下端（及び後面発射レーン１１２の下端）との間隔を、玉の径よりも僅かに小さく、かつ発射ハンマ７１の頭部７３が通過可能となるように設けられる（図１３（ｃ）参照）。上板１０３には、玉保持部分から落下する玉を前面発射レーン１１１（及び後面発射レーン１１２）の方向に導く垂直仕切部１０３ｂが連設されている。
【００４４】
次に、発射ハンマ７１が前面発射レーン１１１に向けて動作すると、前面発射レーン１１１の玉発射位置１１１ａに待機した玉が発射される（図１３（ｄ）参照）。発射された玉は、前面レール１７に誘導され前面遊技領域３ａに達する。以降は上記動作が繰り返される。
【００４５】
なお、発射レーン１１１及び１１２にまたがってその上面を覆うように、上板１０３と所定間隔をおいて、玉発射位置１１１ａ（及び１１２ａ）より玉の発射方向の下流方向に蓋板１０４が設けられている。上板１０３と蓋板１０４との間は、玉受入部９１から発射レーン１１１（或いは１１２）に玉が落下可能な隙間（所定間隔）を有している。
【００４６】
また、前面レール１７の下端と前面発射レーン１１１の上端（及び後面レール６７の下端と後面発射レーン１１２の上端）との間には、前面遊技領域３ａ（後面遊技領域５３ａ）まで達することができずに前面レール１７（後面レール６７）を逆戻りしてくるファール玉が落下する落下口（図示せず）が設けられている。ファール玉は通常下皿に回収される。
【００４７】
このように発射玉補給装置９０は、発射ハンマ７１に同期させて玉を補給する玉補給手段を構成している。発射ハンマ７１が、玉発射部に供給される玉を打撃する位置と、玉を打撃する手前の退避位置との間の往復動における退避位置に戻るときに、発射ハンマ７１の発射動作が行われた前面発射レーン１１１にのみ、１個ずつ玉が補給される。
【００４８】
なお、発射ハンマ７１を後面発射レーン１１２に向けて発射動作を行うようにすれば、振分部材９５の楔状のプレート部９８の他側面（発射ハンマ７１が前面発射レーン１１１に向けて発射動作される場合に接する面と反対側面）に発射ハンマ７１の頭部７３が作用して、逆方向（Ｈ方向と逆方向）に振分部材９５が回動して玉を後面発射レーン１１２上に移動させる動作が行われ、以降前述同様に１個ずつ玉が補給される。
【００４９】
次に、動作について説明する。遊技制御装置２０（具体的にはＣＰＵ２２）からの指令に基づいて、通常状態では、発射された玉は前面遊技領域３ａへ打ち込まれる。前面始動入賞口７へ入賞し、前面始動入賞口７に付設された始動入賞検出器３２により玉を検知すると、大当たり抽選が行われる。
【００５０】
抽選結果に基づいて、特別図柄表示部６５にて図柄が変動表示された後停止する。その停止図柄として大当たり図柄が表示されたときに大当たりが発生する。普通の大当たり図柄が表示されたときは前面大入賞口９の開閉動作が所定回数（例えば１５ラウンド）実行される。
【００５１】
一方、特定の大当たり図柄（例えば確変図柄）が表示されたときは、ＣＰＵ２２から信号により発射方向切替用駆動モータ３９が駆動され、発射ハンマ７１の位置が切替えられて（図６におけるＡ位置からＢ位置へ切替えられて）、後面発射レーン１１２に向けて発射動作が行われる。発射ハンマ７１にて振分部材９５を回動し、ガード部９７と傾斜底９４の突出部９４ａとで保持された玉を、後面発射レーン１１２上に移動させる。玉は前面発射レーン１１２の玉発射位置１１２ａに待機する。次に発射ハンマ７１が玉発射位置１１２ａに打ち込まれることにより、玉は発射され後面レール６７に誘導されて玉が後面遊技領域５３ａに達する。特定の大当たり図柄が表示されたときは後面大入賞口５９の開閉動作が所定回数実行される。
【００５２】
特定の大当たり図柄が表示された大当たりが終了すると、いわゆる確変変動状態となる。確変変動状態中も、発射ハンマ７１はＢ位置を維持し、玉は後面遊技領域５３ａへ発射される。その後、普通の大当たり図柄が表示されて大当たりが発生するまで発射ハンマ７１はＢ位置を維持する（特定の大当たり図柄が表示されて大当たりが発生し、さらに確変変動状態を繰り返す間、発射ハンマ７１はＢ位置を維持する）。
【００５３】
確変変動状態中に普通の大当たり図柄が表示されて大当たりが発生したときは、ＣＰＵ２２からの信号により発射方向切替用駆動モータ３９が駆動され、発射ハンマ７１の位置が切替えられて（図６におけるＢ位置からＡ位置へ切替えられて）、前面発射レーン１１１に向けて発射動作が行われる。発射ハンマ７１にて振分部材９５を回動し、ガード部９７と傾斜底９４の突出部９４ａとで保持された玉を、前面発射レーン１１１上に移動させる。玉は発射レーン１１１の玉発射位置１１１ａに待機する。次に発射ハンマ７１が玉発射位置１１１ａに打ち込まれることにより、玉は発射され前面レール１７に誘導されて前面遊技領域３ａに達する。
【００５４】
このように発射玉補給装置９０は発射ハンマ７１の発射動作に連動して可動する振分部材９５を備え、玉を打撃する位置と玉を打撃する手前の退避位置との間で往復動する発射ハンマ７１が、退避位置に戻るときに、前面発射レーン１１１又は後面発射レーン１１２の玉発射部のうち、発射ハンマ７１が打ち込まれた玉発射部に、ガード部９７の部分で保持された玉を補給することができる。言い換えれば直前に玉が発射された発射レールの玉発射部にのみ、上皿４から玉が１個補給されるので、無駄なく、円滑な遊技が実現できる。また、玉を保持するガード部９７が振分部材９５に一体に形成され、玉の保持機能と玉の振分機能を１つの部材で機能的に構成できる。
【００５５】
（実施例２）
図１４〜図１６は第２実施例を示す。第１実施例における発射玉補給装置９０では振分部材９５にガード部９７が形成され、玉が保持される例を示したが、第２実施例の発射玉補給装置では、玉送り出し歯車を用いて玉を保持し、保持された玉を１個ずつ送り出す例を示す。図１４は第２実施例の発射玉補給装置を示す斜視図、図１５は図１４の分解斜視図である。
【００５６】
発射玉補給装置２９０は、上皿４と連通し上皿４からの玉を受入れる玉受入部２９１と、玉を前面発射レーン１１１又は後面発射レーン１１２に玉を振分ける振分爪２９５（振分手段）と、玉受入部２９１に受入れた玉を保持し、保持された玉を振分爪２９５に向けて送り出す玉送り出し歯車２９８（玉保持手段）とを有している。
【００５７】
玉受入部２９１は、玉１つが通過可能な流路を形成する角筒状をなし、上面に玉入口２９２が形成されるとともに、一側壁２９１ａの下部に玉出口２９３が形成されている。玉受入部２９１の下面には、その玉出口２９３側に向かう程下方に傾斜した傾斜底２９４が形成されている。傾斜底２９４の先端は、角筒状の側壁面より突出した突出部２９４ａが形成されている。この突出部２９４ａの上方に玉１個が通過可能な間隔を有して、側壁２９１ａから張出した張出部２９１ｂが形成されている。
【００５８】
振分爪２９５は、全体が方形板状なしかつ断面が楔状をなしており、楔状のその鋭角部２９５ａが上方に位置するように設けられ、図１５に示すように軸Ｏ７を中心にＪ方向又はＫ方向へ回動できるようになっている。振分爪２９５がＫ方向に回動されたときには、玉が前面発射レーン１１１に向けて導かれる一方、Ｊ方向に回動されたときには、玉が後面発射レーン１１２に向けて導かれる。振分爪２９５は、玉振分用ソレノイド２９６によって駆動されるものである。振分爪２９５は、発射ハンマ７１が動作した発射レーンを検出する検出器（図示せず）によって連動させることができる（図１７参照）。
【００５９】
玉送り出し歯車２９８は、円筒外周面に玉１個を受入れ可能な歯溝２９８ａが複数（本実施例では８個）形成されて歯車状をなし、軸Ｏ６を中心に回転できるようになっている。玉送り出し歯車２９８は、歯車駆動部２９９（例えばステッピングモータなどのアクチュエータ：図１７参照）によって軸Ｏ６が１歯単位（歯溝２９８ａ１個単位）で回転されるものである。歯車駆動部２９９は発射ハンマ７１の発射動作を検出する検出器（図示せず）によって同期させることができる。玉送り出し歯車２９８は、玉受入部２９１の傾斜底２９４の突出部２９４ａに対向して接近した位置で、かつ振分爪２９５の上方に配置されている。なお、玉送り出し歯車２９８の歯溝２９８ａの側方から保持した玉が落下しないように、歯溝２９８ａが対向する突出部２９４ａの両側に起立する仕切り壁を形成することもできる。
【００６０】
発射レーン１１１及び１１２の上部には、それら発射レーン１１１及び発射レーン１１２にまたがってその上面を覆う上板３０３が設けられている。上板３０３には、玉受入部２９１から発射レーン１１１（或いは１１２）へ玉が落下可能な挿通孔３０３ｂが玉発射位置１１１ａ及び１１２ａの近くに形成されるとともに、下端部（玉発射位置１１１ａ及び１１２ａ部分）に玉止め部３０３ａが形成されている。玉止め部３０３ａは、前面発射レーン１１１の下端（及び後面発射レーン１１２の下端）との間隔を、玉の径よりも僅かに小さく、かつ発射ハンマ７１の頭部７３が通過可能となるように設けられる（図１６参照）。そして、上板３０３には、挿通孔３０３ｂに連通する角筒状の筒部３０４が連設されている。この筒部３０４の一側壁３０４ａに振分爪２９５の軸Ｏ７が挿通される挿通孔３０４ｂが形成され、筒部３０４内に振分爪２９５が収容される。
【００６１】
図１７は第２実施例におけるパチンコ遊技機の遊技制御装置２２０の構成を示すブロック図である。発射制御基板３０にはＣＰＵ２２からの制御信号が入力され、該制御信号に応じて発射装置４４と発射玉補給装置２９０が制御される。発射玉補給装置２９０は玉送り出し歯車２９８を駆動する歯車駆動部２９９と振分爪２９５を駆動する玉振分用ソレノイド２９６を含んでおり、玉送り出し歯車２９８と振分爪２９５とが発射装置４４の発射ハンマ７１の発射動作と連動して（同期して）作動するようにＣＰＵ２２によって制御される。なお、図１７において図２と同一の機能を有する部分は同一符号を付して説明を省略する。
【００６２】
次に、図１６は発射レーン（実施例では前面発射レーン１１１）への玉の補給動作を示す説明図である。上皿４に玉を入れると、先頭の玉が玉受入部２９１に入る。玉受入部２９１に入った玉は、傾斜底２９４の突出部２９４ａに載った状態で玉送り出し歯車２９８の歯溝２９８ａに当接して停止する。玉は歯溝２９８ａと突出部２９４ａとで保持された状態にある。このとき発射ハンマ７１は、玉を打撃する手前の退避位置にある（図１６（ａ）参照）。
【００６３】
次に、発射ハンマ７１が前面発射レーン１１１に向けて発射動作を開始すると、ＣＰＵ２２からの制御信号によって玉振分用ソレノイド２９６が駆動され、振分爪２９５が図１５に示すＫ方向に回動される。なお、１回目の発射ハンマ７１の発射動作は空打ち（玉が前面発射レーン１１１上に供給されていない状態で空打ち）になる。
【００６４】
次に、発射ハンマ７１が玉を打撃した直後或いは玉を打撃する手前の退避位置に戻るタイミング（図５に示すＤ方向に戻るタイミング）で、玉送り出し歯車２９８が１歯回転し、歯溝２９８ａと突出部２９４ａとで保持された玉を下方（振分爪２９５の方向）へ送り出す。振分爪２９５がＫ方向に回動されており、玉は振分爪２９５に導かれ、発射ハンマ７１の打ち込まれた前面発射レーン１１１上に移動（落下）する。このとき発射ハンマ７１は、玉を打撃した位置或いは玉を打撃する手前の退避位置にある（図１６（ｃ）参照）。このとき次の玉は玉送り出し歯車２９８の歯溝２９８ａ（１歯回転し次の歯溝）と突出部２９４ａとで保持される。すなわち次の玉は歯溝２９８ａに当接し停止し前面発射レーン１１１まで落下しない。
【００６５】
前面発射レーン１１１の玉発射位置１１１ａ部分には、玉止め部３０３ａが形成されており、前面発射レーン１１１の上に達した玉は、玉止め部３０３ａに当接し玉発射位置１１１ａに停止し待機する。（図１６（ｄ）参照）。
【００６６】
次に、発射ハンマ７１が前面発射レーン１１１に向けて動作すると、前面発射レーン１１１の玉発射位置１１１ａに待機した玉が発射される。発射された玉は、前面レール１７に誘導され前面遊技領域３ａに達する。以降は上記動作が繰り返される。なお、図１４〜図１６において図１０、図１１及び図１３と同一の機能を有する部分は同一符号を付して説明を省略する。
【００６７】
このように発射玉補給装置２９０は、玉送り出し歯車２９８と振分爪２９５を発射ハンマ７１の１回の発射操作に同期させて駆動して玉を補給する玉補給手段を構成している。発射ハンマ７１が玉を打撃してから手前の退避位置に戻るまでの動作のときに、発射ハンマ７１の発射動作が行われた前面発射レーン１１１にのみ、１個ずつ玉が補給される。
【００６８】
なお、発射ハンマ７１を後面発射レーン１１２に向けて発射動作を行うようにする場合、ＣＰＵ２２からの制御信号によって玉振分用ソレノイド２９６を駆動して、図１５に示すＪ方向に振分爪２９５を回動することにより、後面発射レーン１１２上に玉を移動させる動作が行われ、以降前述同様に１個ずつ玉が補給される。
【００６９】
このように発射玉補給装置２９０は発射ハンマ７１の発射動作に同期して可動する玉送り出し歯車２９８と振分爪２９５とを備えており、上皿４から受入れた玉を玉送り出し歯車２９８によって玉を保持し、発射動作に連動して玉送り出し歯車２９８が１歯回転することにより、振分爪２９５の方向に保持された玉を１個確実に送り出すとともに、振分爪２９５が発射動作に連動して回動しその玉を発射ハンマ７１が打ち込まれた玉発射部に振分けて補給することができる。
【００７０】
なお、本実施例に次のような変形例を加えてもよい。
（１）第１実施例において、ガード部９７側に玉を載置する突出底部を一体形成して、玉保持手段を構成してもよい。例えばガード部９７の下端に傾斜底９４に対向して張出すように突出底部を一体形成するようにできる。
（２）各遊技領域に達した玉は、流下途中で移動口などによって他の遊技領域に行き来するような構成としたが、行き来しない構成としてもよい。
（３）第２実施例において、玉を保持し、保持された玉を１個ずつ送り出す玉保持手段を構成する玉送り出し歯車２９８は、上記構成に限定されない。例えば円筒状をなし、その外周面に切欠きや穴などで上皿から受入れた玉を受容して保持できる玉保持部を形成し、発射ハンマの発射動作に連動して玉保持部が回転するように構成される送り出し回転体としてもよい。
【図面の簡単な説明】
【００７１】
【図１】本発明のパチンコ遊技機の正面模式図。
【図２】パチンコ遊技機の電気的構成を示すブロック図。
【図３】前面遊技盤及び後面遊技盤の正面図。
【図４】前面遊技盤及び後面遊技盤の斜視図。
【図５】発射装置の説明図。
【図６】発射ハンマと発射レーン（レール）との関係を示す説明図。
【図７】発射ハンマの構造を示す説明図。
【図８】発射方向切替器具の説明図。
【図９】発射方向切替動作を示す説明図。
【図１０】発射玉補給装置及び発射レーンの部分の構造を示す斜視図。
【図１１】図１０の分解斜視図。
【図１２】図１０の振分部材にスプリングが取付けられた状態の斜視図。
【図１３】発射玉補給装置の動作を示す説明図。
【図１４】第２実施例の発射玉補給装置の斜視図。
【図１５】図１４の分解斜視図。
【図１６】図１４の発射玉補給装置の動作を示す説明図。
【図１７】第２実施例のパチンコ遊技機の電気的構成を示すブロック図。
【符号の説明】
【００７２】
１    パチンコ遊技機
２    ガラス扉（前面ガラス）
４    玉供給皿（上皿）
３    前面遊技盤
３ａ  前面遊技領域
１７  前面レール
２２  ＣＰＵ
４４  発射装置
５３  後面遊技盤
５３ａ  後面遊技領域
６７  後面レール
７１  発射ハンマ（玉発射手段）
９０,２９０  発射玉補給装置（玉補給手段）
９５  振分部材（振分手段）
９７  ガード部（玉保持部）
２９５  振分爪（振分手段）
２９８  玉送り出し歯車（玉保持手段；送り出し回転体）
２９８ａ  歯溝（玉保持部）
１１１  前面発射レーン（前面発射レール）
１１１ａ  玉発射位置（玉発射部）
１１２  後面発射レーン（後面発射レール）
１１２ａ  玉発射位置（玉発射部）
【図１】
2006130008.tif 000003
【図２】
2006130008.tif 000004
【図３】
2006130008.tif 000005
【図４】
2006130008.tif 000006
【図５】
2006130008.tif 000007
【図６】
2006130008.tif 000008
【図７】
2006130008.tif 000009
【図８】
2006130008.tif 000010
【図９】
2006130008.tif 000011
【図１０】
2006130008.tif 000012
【図１１】
2006130008.tif 000013
【図１２】
2006130008.tif 000014
【図１３】
2006130008.tif 000015
【図１４】
2006130008.tif 000016
【図１５】
2006130008.tif 000017
【図１６】
2006130008.tif 000018
【図１７】
2006130008.tif 000019